(57)【要約】【課題】  比較的狭い帯域幅を持つ仮想回線フレームであっても、伝送媒体を最大限に能率よく利用できる伝送方法を提供する。    【解決手段】  本発明は、各々１オクテットによって占有された複数のタイムスロットにそれぞれ分解されたＥ１／Ｔ１フレームのような時間回線のフレームにおいて、ＡＡＬ２パケットのような可変長パケットおよび、例えばＡＴＭセルのような伝送セルを任意に伝送する方法に関する。本発明は、前記フレーム中のタイムスロットの少なくとも一群を構成する連続したタイムスロット内における各可変長パケット及び各セルを構成する連続したオクテットを特徴とする。具体的にいうと、パケット又はセルの最初のオクテットは、前記対応するタイムスロットの一群に属する特定のタイムスロットを占めるポインターによって指示されたタイムスロットに置かれているのである。
2005520465.tif 000002
【特許請求の範囲】
【請求項１】
それぞれのフレームが多数のタイムスロットに分割され、タイムスロットのそれぞれが１オクテットで占有されるＥ１／Ｔ１のような時間回線フレームで、各可変長パケット及び各セルの連続するオクテットが、前記フレームを構成するタイムスロットの少なくとも一群からなる連続するタイムスロットに配置されると共に、あるパケット又はセルの最初のオクテットが、それに対応する前記タイムスロット群の特定のタイムスロットを占有するポインターによって記されたタイムスロットに配置されるＡＡＬ２パケットのような可変長パケット、及び場合によってはＡＴＭセルのようなセルの伝送方法において、
各々のポインターは、前記ポインターにより記された前記パケット若しくは前記セルと同じタイムスロット群に属するフレームのタイムスロット内で、前記ポインターにより記された前記パケット若しくは前記セル、及び同様の一乃至複数のパケット若しくは一乃至複数のセルを伝送する仮想回線を規定する仮想回線アドレスを伴うことを特徴とする伝送方法。
【請求項２】
前記ポインター及び前記仮想回線アドレスは同じオクテットを構成するビットからなることを特徴とする請求項１記載の伝送方法。
【請求項３】
ポインターの値は対応するヘッダー部の最初のオクテットの番号よりも１少ない群のランクに等しく、さもなければ、フレームが部分的に空であって、かつパケットヘッダーを全く含まないか、或いは完全なパケットヘッダーを含まない時は、ポインターの値が最初の空オクテットの番号より１少ない群のランクに等しいことを特徴とする請求項１又は２記載の伝送方法。
【請求項４】
前記パケット若しくは前記セルを構成する最初のオクテットが、ポインターに割り当てられたタイムスロットの直ぐ後に続くタイムスロットに位置している時は、前記ポインターの値がゼロとなることを特徴とする請求項３記載の伝送方法。
【請求項５】
対応する群の全タイムスロットが空の時、例えば各フレームに含まれるタイムスロット数のような特定値に、前記ポインターの値が等しくなることを特徴とする請求項３又は４記載の伝送方法。
【請求項６】
先行するフレームにパケット若しくはセルのヘッダーが配置されており、群を構成する全タイムスロットが、前記パケット若しくは前記セルを構成するオクテットによって占有される時、例えば各フレームに含まれるタイムスロット数よりも１少ない数のような特定値に、前記ポインターの値が等しくなることを特徴とする請求項３〜５のいずれか一つに記載の伝送方法。
【請求項７】
前記パケット又は前記セルを伝送するために、各々のフレームはいくつかのタイムスロット群を有することを特徴とする請求項１〜６のいずれか一つに記載の伝送方法。
【請求項８】
前記パケット又は前記セルを伝送するために、各々のフレームは当該各々のフレームの全ての利用可能なタイムスロットを占有する唯一のタイムスロット群を有することを特徴とする請求項１〜６のいずれか一つに記載の伝送方法。
【請求項９】
前記パケット又は前記セルを伝送するために、各々のフレームは当該各々のフレームの利用可能なタイムスロットの一部分だけを占有する唯一のタイムスロット群を有することを特徴とする請求項１〜６のいずれか一つに記載の伝送方法。
【請求項１０】
前記若しくは各タイムスロット群は連続しないタイムスロットの副群に再分割されることを特徴とする請求項１〜９のいずれか一つに記載の伝送方法。
【請求項１１】
ＡＡＬ２パケットのような可変長パケット、及び場合によってはＡＴＭセルのようなセルに対し、請求項１又は２記載の伝送方法に従った仮想回線フレームによる伝送が実行される伝送リンク端末装置であって、
前記端末装置は、仮想パス識別子及び仮想回線識別子により識別されたセルに関する前記パケットを処理するものであり、前記伝送方法において伝送された前記パケット又は前記セルの仮想回線アドレスと、前記セルの仮想パス識別子及び仮想回線識別子との間の相関テーブルを含んでいることを特徴とする端末装置。
【請求項１２】
前記端末装置は多重化／逆多重化装置であり、逆多重化側においては、仮想回線フレームによる伝送リンク用の多数のポートを備え、多重化側においては、ＡＴＭセルによる伝送リンク用のポートを備えることを特徴とする請求項１１記載の端末装置。
【請求項１３】
前記端末装置は多重化／逆多重化装置であり、逆多重化側においては、仮想回線フレームによる伝送リンク用の多数の双方向ポートを備え、多重化側においては、仮想回線による伝送リンク用の双方向ポートを備えることを特徴とする請求項１２記載の端末装置。
【請求項１４】
多重化側でのポートに現れるトラフィックフローが集中できるように、可変長パケットにより生じたコネクションアドレスを翻訳する手段を備えることを特徴とする請求項１２又は１３記載の端末装置。
【請求項１５】
仮想パス識別子及び仮想回線識別子は、該当するコネクションの形式に従って割り当てられていることを特徴とする請求項１１又は１４記載の端末装置。
【請求項１６】
それぞれのフレームが多数のタイムスロットに分割され、タイムスロットのそれぞれが１オクテットで占有される時間回線フレームにおいて、
それぞれのフレームが多数のタイムスロットに分割され、タイムスロットのそれぞれが１オクテットで占有されるＥ１／Ｔ１フレームのような時間回線フレームで、ＡＡＬ２パケットのような可変長パケット、及び場合によってはＡＴＭセルのようなセルを伝送することを意図されており、
各可変長パケット及び各セルの連続するオクテットは前記フレームを構成するタイムスロットの少なくとも一群からなる連続するタイムスロットに配置されており、
あるパケット又はセルの最初のオクテットは、それに対応する前記タイムスロット群の特定のタイムスロットを占有するポインターによって記されたタイムスロットに配置されており、
各々のポインターは、前記ポインターにより記された前記パケット若しくは前記セルと同じタイムスロット群に属するフレームのタイムスロット内で、前記ポインターにより記された前記パケット若しくは前記セル、及び同様の一乃至複数のパケット若しくは一乃至複数のセルを伝送する仮想回線を規定する仮想回線アドレスを伴うことを特徴とする時間回線フレーム。
【発明の詳細な説明】
【技術分野】
【０００１】
本発明は、各々１オクテットによって占有された多数のタイムスロット毎にそれぞれ分解されたＥ１／Ｔ１フレームのような時間回線フレームで、ＡＡＬ２パケットのような可変長パケット、および場合によってはＡＴＭセルのような伝送セルを伝送する方法に関する。より詳細にいうと、該可変長パケットはＡＡＬ２プロトコル（ＩＴＵ勧告I363.2）に従ったパケットであると共に、時間回線フレームは、例えばＩＴＵ勧告G.703及びG.704に定義され、一般的にＥ１フレーム又はＴ１フレームと呼ばれる形式からなるものであり、ＳＤＳＬ又はＨＤＳＬとも呼ばれる形式と同等のものである。
【背景技術】
【０００２】
ＡＡＬ２プロトコル（ＩＴＵ勧告I363.2，I366.1，I366.2）に従った情報伝送及びそれに関連付けられた信号伝達（シグナリング）の実行（ＩＴＵ勧告Q.2630.2）は、種々の通信ネットワーク向けとして推奨又は計画されている。現在の最良のものとしては、ＵＴＲＡＮ（UMTS Terrestrial Radio Access Network：ユニバーサル移動電話システムターミナル・地上無線接続網）として知られる第三世代携帯電話向けのアクセスネットワークが挙げられる。ＡＴＭセルを用いるアクセスネットワーク上において、このＡＡＬ２プロトコルの使用は、現在Ｒ３と呼ばれる1999ＵＴＲＡＮバージョン（Ｒ99）向けの３ＧＰＰ標準化団体によって最終的に採用された。したがって、本発明はＲＮＣ（Radio Network Controller：無線網制御装置）モバイルネットワークコントローラーアーキテクチャーおよびＵＴＲＡＮアクセスネットワークのノードＢと呼ばれる基地局内への適用が可能である。さらに、アクセスが様々な既存の回線接続を要求する時は、本発明の適用範囲をネットワークの周辺に位置づけてもよい。現在、検討事項は、とりわけ地方地域において、集中装置又はＲＮＣモバイルネットワークコントローラーへノードＢ基地局を接続する考えである。
【０００３】
その他の適用範囲として、ＩＴＵ  ＳＳＣＳ  I366.2層内で定義される「トランキング（tranking）」の利用によって、ＡＴＭ伝送ネットワークを経由する例えばＰＡＢＸ（構内交換機）のコネクション又はＡＤＳＬ上での音声伝送が考えられる。
【０００４】
以下、３つのＩＴＵ勧告（I363.2，I366.1，I366.2）に記述された、いわゆるＡＡＬ２伝送プロトコルを規定する原理を説明する。該伝送プロトコルは、低いスループットに対して重要となるＡＴＭセルのアセンブリ時間に含まれる時間的問題を回避する目的で定義されたものである。該アセンブリ時間は、16ｋｂ／ｓでＡＴＭセルを完全に満たすとすると、実に24ｍｓかかることとなる。この解決方法としては、単一ＡＴＭセル内におけるいくつかの通信のスループットをミニセル又はＣＰＳパケットとも呼ばれるパケット情報構造を使用して多重化することが選択される。該伝送方法はＣＰＳ（Common Part Sublayer：共通部サブレイヤ）と呼ばれるプロトコルの低位部を構成する。命令適合機能は、ＳＳＣＳ（Service Specific Convergence Sublayer：サービス依存コンバージェンス・サブレイヤ）と呼ばれるサブレイヤ内のＣＰＳ上に配置される。第一の層、すなわち分割ＳＳＣＳサブレイヤはＩＴＵ勧告I366.1に定義され、多数のオクテットを含んだデータユニットの伝送に利用される。第二の層、すなわちリアルタイム（実時間）ＳＳＣＳトランキングサブレイヤは、ＩＴＵ勧告I366.2に定義される。
【０００５】
ＡＡＬ２パケットの一シーケンスは各々のＡＡＬ２チャネル上に保証されるが、ＣＰＳサブレイヤよって供給されたサービスは保証されない形となっている。つまり、紛失パケット（例えばパケットを伝送するＡＴＭセルの欠損に起因する結果として）は該サブレイヤレベルでの再伝送によっては修復されない。
【０００６】
図１は、ＩＴＵ勧告I.363.2に規定されるようにＡＡＬ２プロトコルに属するＣＰＳレイヤのＡＡＬ２パケットを示したものである。該ＡＡＬ２パケットは３オクテットのヘッダーＨ＿ＣＰＳとユーザデータを含む可変長利用可能部Ｐ＿ＣＰＳとを有する。デフォルト長は45オクテットに限定される。図１に示すように、ヘッダーＨ＿ＣＰＳは以下のフォーマットで構成されている。
【０００７】
ＡＡＬ２コネクションが識別されるのを許可する８ビットのコネクション識別フィールドＣＩＤ
ＬＩ＋１がオクテット数と等しくなるようにパケット内の使用可能部分の長さを符号化する６ビットのフィールドＬＩ
５ビットのユーザ間データフィールドＵＵＩ
５ビットのヘッダー誤り保護フィールドＨＥＣ
ＡＡＬ２パケットは一般にＡＴＭセルによって伝送される。
【０００８】
ここで、Ｅ１／Ｔ１形式で帯域化された媒体を、ＡＴＭセルで伝送するのに関連した検討事項を記述する。ここで提供された帯域（すなわちフレームが30のタイムスロットＴＩ（Time Interval）を有する）を完全に使用する場合において、「同期デジタルハイアラーキー（ＰＤＨ）へのＡＴＭセルマッピング」と題するＩＴＵ勧告G.804の議題があり、特殊なＡＴＭ交換機内に移植されている。
【０００９】
勧告G.704によって扱われているもののような時間回線フレームは、１オクテットによってそれぞれ占有された32のタイムスロットに分割されている。これに関して、１〜15と17〜31のタイムスロットだけでユーザデータを伝送することを考える。１フレームは125μｓ（マイクロ秒）の長さを持ち、各タイムスロットＴＩによって伝送されるデータ速度は64ｋｂ／ｓを限界とする。タイムスロットＴＩを再群化することによってＮ×64ｋｂ／ｓ、すなわち32のタイムスロットＴＩを考慮に入れるとすると2048ｋｂ／ｓとなるが、ユーザデータ伝送のために使用される30のタイムスロットを考慮に入れるとすると、1920ｋｂ／ｓで情報を流すことが可能となる。
【００１０】
ＡＴＭセルを構成する各オクテットは、単一のタイムスロットＴＩの範囲内に形成されている。フレームの始まりとＡＴＭセルの始まりとの間には関連性はない。ＡＴＭセルにおけるオクテットの番号は、フレームの回線番号とは異なるという理由からである。
【００１１】
図２は、今説明しているフレーム構造上のＡＴＭセルの多重化例を示している。種々のフレームは表として示され、「フレームｎ」「フレームｎ＋１」等のように番号が付されている。該フレームは時間回線順に並んでいる。各タイムスロットは、タイムスロットのランク及び対応しているデータ伝送に使用されているオクテット番号によって参照される。これは30のタイムスロットＴＩ（オクテットの番号はこのように１から30の間で変化する）だけで示されるもので、したがってデータ伝送以外の機能のために使用される０及び16のランクに位置づけられるタイムスロットは示されない。
【００１２】
ここで、ＡＴＭセルは53オクテット（内５オクテットはヘッダーに割り当てられる）の固定長パケットであることを示しておく。図２において、空でないＡＴＭセルのオクテットは一連の四角で示されており、フレーム中のタイムスロットにそれぞれ対応している。これらのセルのヘッダーは塗りつぶされている。空セルに関して、これらは連続する四角として示されていない（空セルは区切られていない四角で示されている）。
【００１３】
セルは各フレームの内側で連続していることを注記しておく。
【００１４】
同じ媒体上でのパケット形式と回線トラフィックの両方の伝送を可能にすることを目的として、ユーザデータ伝送用タイムスロットＴＩの単一部分だけが、その使用を許可された。該使用はＡＴＭフォーラムが1999年８月に発行した明細文書「部分的なＥ１／Ｔ１上のＡＴＭ（AF-PHY-0130.00）」において記述された。そこには、ＡＴＭセル伝送に対して、フレームが有する30まで可能なタイムスロットＴＩ中で、64ｋｂ／ｓの伝送速度を持つＮ個のタイムスロットを割り当てて構成されること、そして、従来の方法において、該目的に使用されないタイムスロットＴＩが、例えば電話通信などの回線モードにおけるデータ伝送にその後使用され得ること、が示されている。
【００１５】
図３において、タイムスロットの一部分だけはＡＴＭ伝送に配置されており、これらのタイムスロットＴＩは、一方は３と16の間、他方は21と24の間の各フレーム内に位置づけられている。使用されないタイムスロットＴＩは、仕切りがない状態で示されている。ここで使用するオクテット番号は、１と18の間に含まれている。
【００１６】
上述したように、ＡＴＭセルによって運ばれるＡＡＬ２パケットの伝送が完全に可能となり、ＡＡＬ２パケット伝送自身も上述したような時間フレームを運びこんでいる。この場合、Ｅ１／Ｔ１形式のフレームはセルの情報に対し透過性を有する。Ｅ１コネクションの受信終端で、ＡＴＭセルが最初に時間フレームから抽出され、その後で、ＡＡＬ２パケットが再組み立てされるためにＡＴＭセルから抽出される。そして、これとは対称的に、送信端側においては、ＡＡＬ２パケットがＡＴＭセル内に挿入され、該ＡＴＭセルが時間フレーム内へ挿入され、その後で伝送される。
【００１７】
この解決方法の欠点は、使用可能なオクテット番号とコネクション上に伝送されたオクテット番号の間の関係が能率の点でとても都合が悪いということである。その証拠に、ＡＴＭセルヘッダーの５オクテットは、ミニセルの多重化と関連した非常に変化しやすい番号のパッデイング（padding：詰め物）オクテットに加えられるが、このＡＴＭセルヘッダーは非常に多くのタイムスロットＴＩであるため、ユーザデータに関する欠損として考慮されることがある
この特有の問題に対して、国際特許公開ＷＯ−Ａ−00/59261号公報と欧州特許公開ＥＰ−Ａ−874530号公報が解決策を提案している。
【特許文献１】国際特許公開ＷＯ−Ａ−00/59261号公報
【特許文献２】欧州特許公開ＥＰ−Ａ−874530号公報
【発明の開示】
【発明が解決しようとする課題】
【００１８】
実際には、前者は、例えば、それぞれいくつものタイムスロットを含んだ多数の多重フレームからなるＥ１又はＴ１形式のチャネルにおけるミニセルの伝送手順を含んでいる。該手順は、これらのミニセル伝送がＡＴＭレイヤを通り抜けることができないという観点から確立された。言い換えれば、これらのＡＴＭセルのオーバーヘッドは抑制され、ミニセルはＥ１又はＴ１形式フレームへ直接伝送される。それにもかかわらず、この手順は、各多重フレームを構成する最初のタイムスロットにおいて、多重フレーム番号を含めるのに利用されるシーケンス番号フィールドを含んだ開始オクテットの挿入を必要とする。
【００１９】
欧州特許公開ＥＰ−Ａ−874530号公報に関しては、Ｔ１形式フレームへのＡＡＬ２形式ミニセル伝送を示している。そのようにするために、ＡＴＭレイヤは除去されている。また、６ビットのポインターはフレームが有する次パケットの開始位置を定義することに使用されている。
【００２０】
本発明は、例えばＥ１／Ｔ１形式の比較的狭い帯域幅（この場合1.920Ｍｂ／s）を持つ仮想回線フレームであっても、伝送媒体を最大限に能率よく利用できる上述したような可変長パケット伝送方法のみならず、場合によっては時間回線フレームにおけるＡＴＭセルのようなセルにも適用できる伝送方法を提供することを目的とする。したがって、各々のフレームが多数のタイムスロットにそれぞれ分割され、各タイムスロットが１オクテットによって占有されたＥ１／Ｔ１フレームのような時間回線フレームで、ＡＡＬ２パケットのような可変長パケット及び、ＡＴＭセルのようなセルに適用できる伝送方法が予想される。
【課題を解決するための手段】
【００２１】
本発明に従う伝送方法はさらに、各可変長パケット及び各セルを構成する連続したオクテットが、前記フレーム中のタイムスロットの少なくとも一群を構成する連続したタイムスロット内に配置されると共に、パケット又はセルの最初のオクテットが、対応する前記タイムスロットの一群に属する特定のタイムスロットを占めるポインターによって指示されたタイムスロットに配置されている形式のものである。
【００２２】
また、可能な伝送形式に従って、それに伝送されるパケット又はセルが属する仮想回線の変更が可能になることも興味深い。例えば、ＡＡＬ２パケットによる音声伝送や、これもＡＡＬ２パケットによるデータ伝送や、ＡＴＭセル伝送や、ＡＴＭセル内に含まれるＡＡＬ５パケットによるシグナリング制御情報伝送等が可能であるかどうかに基づいて、仮想回線を変更することに注目されたい。
【００２３】
したがって、本発明は、所定パケット又は所定セルと同じタイムスロットの群に属しているフレームのタイムスロット内で、所定ポインターにより向けられた所定パケット若しくは所定セル、及び同様のあるパケット又は複数パケット又は複数セルを伝送する仮想回線を規定する仮想回線アドレスを伴なっていることを特徴とする。具体的に言うと、例えば、所定ポインター及び所定仮想回線アドレスは、同一のオクテットのビットによって構成されている。
【００２４】
また、本発明の別な特徴に従えば、所定ポインターはそれに対応する群の最初のタイムスロットを占有する。所定ポインターの最良値は、パケットヘッダーの最初のオクテットよりも１少ない群のランクに該当する値であり、さもなければ、フレームが部分的に空であって、かつヘッダーを有していないか、完全なパケットヘッダーを持っていない場合は、該値は最初の空オクテットよりも１少ない群のランクに該当する値である。さらに、所定パケット又は所定セルを構成する最初のオクテットが、所定ポインターに割り当てられたタイムスロットの直ぐ後に続くタイムスロットに配置されている時は、該値はゼロである。対応する一群のタイムスロットが空である時は、該値は例えば各フレームが持つタイムスロット数などの特定値に等しい。他にも、群を構成する全タイムスロットがパケット又はセルのオクテットによって占有されていて、先行するフレームにそのヘッダーが配置されている時は、ポインターが持つ値は特定値に等しい。この特定値は、例えば各フレームに含まれるタイムスロット数よりも１少ない数に等しい。
【００２５】
所定パケットと所定セルの伝送のために、各フレームはいくつかのタイムスロット群を含んでもよい。もちろん、単一のタイムスロット群だけを含んでいてもよく、この単一のタイムスロット群は、各フレーム内の全ての利用可能なタイムスロットを占有するか、各フレーム内の利用可能なタイムスロットの一部分だけを占有するどちらかになる。
【００２６】
所定群又は各々の群は、タイムスロットの連続しない副群に再分割されてもよい。
【００２７】
本発明は、上述したような伝送方法を用いて、仮想回線フレームによるＡＡＬ２パケットのような可変長パケット、及び場合によってはＡＴＭセルのようなセルの伝送に適する回線端末装置にも関する。さらに該装置は、仮想パス識別子及び仮想回線識別子によって識別される各セルに関する所定パケットを処理するために設計される。
【００２８】
本発明によると、所定パケットの仮想回線アドレスと、所定セルの仮想パス識別子及び仮想回線識別子との間の対応テーブルを含む。
【００２９】
例えば、該装置は、逆多重化装置側では、仮想回線フレームによる伝送コネクション用の多数のポートを含み、多重化装置側では、ＡＴＭセルによる伝送コネクタ用の一つのポートを含む多重化／逆多重化装置とすることができる。
【００３０】
或いは、逆多重化装置側では、仮想回線フレームを使用するコミュニケーション回線用の多数の双方向ポートを有し、多重化装置側では、仮想回線フレームを使用する伝送コネクション用の一つの双方向ポートを有する多重化／逆多重化装置とすることができる。
【００３１】
さらに本発明は、該装置は、多重化された側でのトラフィックフローを集中できるようにするために、可変長パケットにより運ばれたコネクションアドレスを翻訳する能力を有することを特徴とする。
【００３２】
仮想パス識別子及び仮想回線識別子は、関係するコネクションの形式を基に割り当てられる。
【００３３】
最後に、本発明はさらに、それぞれのフレームが多数のタイムスロットに分割され、タイムスロットのそれぞれが１オクテットによって占有された仮想時間回線フレームからなるフレームを必要としなければならず、これらは上述したような伝送方法を利用して、ＡＡＬ２パケットのような可変長パケットや、場合によってはＡＴＭセルのようなセルの伝送用に意図されているという事実によって特徴づけられる。
【発明を実施するための最良の形態】
【００３４】
本発明の上述及びその他の各特徴を、以下に示す実施例によって明らかにし、添付図面と共に説明する。
【００３５】
図４は、本発明の処理方法を踏まえて、さらに各フレームにおける全利用可能タイムスロットＴＩ（他の目的に使用される０と16のランクに位置するタイムスロットを除いた全タイムスロット）を使用することによって、例えばＥ１／Ｔ１形式の時分割フレームを構成するタイムスロットＴＩ内にＡＡＬ２パケットを直接多重化する例を説明している。これらの全利用可能タイムスロットは、本明細書において「群」、とりわけ使用タイムスロット群と呼ばれるものを形成して、一まとめとして考えられる。
【００３６】
各ＡＡＬ２パケットの３オクテットのヘッダー部は塗りつぶされており、他のオクテットは、お互いに離れて分割されている。一方、空オクテットは離れて分割されていない。
【００３７】
ＡＡＬ２パケットは、図１に示されるフォーマットを有することに注意されたい。その結果、それらのヘッダー部は特にコネクション識別子（ＣＩＤ）を含んでいる。
【００３８】
使用時間枠の各群における特定のタイムスロット、すなわちこの場合は群のランク１にあるタイムスロットは、ポインターＰＴＲを備えており、これは使用タイムスロット群に含まれていた最初のＡＡＬ２パケットのヘッダー部を含むタイムスロットを示している。例えば、該ポインターに与えられた値は、指示された時間枠よりも１少ない使用タイムスロット群におけるランクである。
【００３９】
図４において、各々フレームｎから（ｎ＋９）までの最初のタイムスロットに関して、対応するポインターＰＴＲの値は示されている。したがって、フレームｎにおいて、最初のオクテットの値は２であり、これは最初のＡＡＬ２パケットを構成する最初のオクテットを含むタイムスロット、すなわち使用タイムスロット群におけるランク３のタイムスロットを指し示している。また、フレーム（ｎ＋１）において、最初のオクテットの値は１３であり、これは同フレーム中の最初のＡＡＬ２パケットを構成する最初のオクテットを含むタイムスロット、すなわち使用タイムスロット群におけるランク14のタイムスロットを指し示している。
【００４０】
したがって、一般的な方法において、該ポインターＰＴＲの値は、あるパケットの最初のオクテット群を越えないランクに等しい。
【００４１】
フレームが部分的に空かつ完全なＡＡＬパケットのヘッダー部を含まない時、ポインターＰＴＲは最初の空オクテットを指し示し（フレーム（ｎ＋３）及び（ｎ＋５）の場合）、そのポインター値は、使用タイムスロット群におけるランク16及び20のタイムスロットをそれぞれ示すため、それぞれ15及び19となる。一方、フレームが部分的に空なのに完全なパケットのヘッダー部を含む時、一般的には、該ポインター値は、パケットの最初のオクテット群を越えないランクに等しくなる（フレーム（ｎ＋９）のような場合、ポインター値は、使用タイムスロット群におけるランク３のタイムスロットを示すため２となる。）ように適用される。
【００４２】
フレームが完全に空の時（フレーム（ｎ＋６）のような場合）、該ポインター値は特筆すべき値となり、この場合は31となる。例えば、この形式のフレームの後に現れる最初のＡＡＬ２パケットは、ポインターＰＴＲを含んでいるオクテットの次にくるオクテットに配置される。その結果、ポインターＰＴＲはゼロの値をとる（フレーム（ｎ＋７）のような場合）。
【００４３】
ゼロ値は、フレームの最初のタイムスロットの直ぐ後に続くタイムスロットにおいて、フレーム内のＡＡＬ２パケットがフレームの最初のオクテットを持つことを示す（フレーム（ｎ＋４）のような場合）。30という値は、そのフレームが先行するフレーム内から始まっている29オクテットのパケット（使用タイムスロット群の全タイムスロット）を含むことを意味する（フレーム（ｎ＋８）のような場合）。
【００４４】
ここで、ＡＡＬ２パケット伝送と関連して、フレームはＡＴＭセル伝送にも使用される可能性があることに注意されたい。また、ＡＡＬ２パケットを照合する原理は、ＡＴＭセルに適した手段でもある。
【００４５】
上記説明した例において、全体の帯域はＡＡＬ２伝送又はＡＴＭ情報伝送のために割り当てられており、すなわち、言い換えると、フレームの全利用可能タイムスロット（使用タイムスロット群と呼ばれていたタイムスロット）はＡＡＬ２伝送及びＡＴＭセル伝送に割り当てられていることが、考慮すべき事項の一つである。
【００４６】
本発明の他の特徴によると、各使用タイムスロット群はタイムスロットの連続しない副群に再分割される可能性がある。30のタイムスロットＴＩの一部だけの使用よって、ＡＡＬ２パケット伝送及びＡＴＭセル伝送のために指定された帯域を分割することが可能である。副群は異なるサイズのものであってもよい。
【００４７】
図５は時間回線フレームを構成するタイムスロットＴＩに直接入り込むＡＡＬ２パケットの多重化例を示したものであり、本発明の手段に従って、タイムスロットＴＩのＳＧ１及びＳＧ２という２つの副群に再分割された単一タイムスロット群を使用しているだけのものである。この例において、最初の副群ＳＧ１のタイムスロットは、３から17の間のランクに位置するタイムスロットであり、その上、２番目の群ＳＧ２のタイムスロットは、22から25の間のランクに位置するタイムスロットである。図４と同様、各ＡＡＬ２パケットの３オクテットのヘッダー部は塗りつぶされている。その上、同じように、各ＡＡＬ２パケットの全オクテットは分割されており、ＡＡＬ２パケット伝送又はＡＴＭセル伝送に使用されないオクテットは分割されていない。
【００４８】
ポインターの原理は、図４に従うものと一致する。ポインターＰＴＲは、ＡＡＬ２パケット伝送及びＡＴＭセル伝送に割り当てられたタイムスロット群の最初のオクテットの中に含まれており、この場合、ランク４のタイムスロットに使用されている最初のオクテットの前にある副群ＳＧ１の最初のオクテットに含まれている。ここで、使用タイムスロット群はＳＧ１及びＳＧ２という副群の結合とみなされる。ポインターＰＴＲは、フレームに含まれた最初のＡＡＬ２パケットのヘッダーを含む群のタイムスロットを示し、該値は、指し示されたタイムスロット群よりも１少ない範囲内のランクである（例えば、フレーム（ｎ＋３）において、パケットヘッダーの最初のオクテットを構成するタイムスロットはフレームにおいてはランク15を占有するが、群においてはランク12となるので、そのポインター値は、12−１＝11となる）。該ポインターに割り当てられた特定値が関係される限りにおいて、それらは以前のものと変わらない。したがって、ポインターＰＴＲが、１及び２，18から21及び26から31のランクのフレームにおけるタイムスロットのようなＡＡＬ２パケット伝送に割り当てられないタイムスロットを指定できないという事実を除いては、ポインターの原理は、図４に関して明確に説明されたものと同一である。
【００４９】
図６において、同図には、多重化するために配置されている回線フレームのタイムスロットＴＩに直接入り込むＡＡＬ２パケットの多重化についての別の例が示されている。ここで、実際には、Ｇ１及びＧ２の２つの群はＡＡＬ２パケット伝送のために割り付けられる。これらＧ１及びＧ２の２つの群は、利用できないタイムスロットを除いて、フレームに利用できるタイムスロットの全体を占有する。さらに、ある製品モードでは、これらの群は、図５で示したＳＧ１及びＳＧ２の副群の例に従って、同様にタイムスロットの連続しない複製群に再分割することも可能である。最後に、フレームの利用可能時間枠は２の群より多く再分割される可能性があることに注意されたい。
【００５０】
図６において、最初の群Ｇ１は１から23のランクのタイムスロットの範囲にわたり、さらに、２番目の群Ｇ２はフレームについて24から31のランクのタイムスロットの範囲にわたる。各群の最初のタイムスロットはポインターＰＴＲ１，ＰＴＲ２に使用される。各群Ｇ１，Ｇ２は独立している。このために、最初の群Ｇ１のＡＡＬ２パケットは、その最初のオクテットがフレームｎのフレームにおけるランク４（Ｇ１群のランク３）のタイムスロットに配置され、同フレームｎのフレームにおけるランク23（Ｇ１群のランク21）のタイムスロットまで広がっており、その後、フレーム（ｎ＋１）のランク２（Ｇ１群のランク１）のタイムスロットから再び始まり、同フレームのポインターＰＴＲ１の19の値から推定されることが可能なように、同フレーム（ｎ＋１）のランク21（Ｇ１群のランク19）のタイムスロットで終わる。さらに、２番目の群Ｇ２のＡＡＬ２パケットは、その最初のオクテットがフレーム（ｎ＋１）のランク25（Ｇ２群のランク１）のタイムスロットに配置され、同フレーム（ｎ＋１）のフレームにおけるランク31（Ｇ２群のランク７）のタイムスロットまで広がっており、その後、フレーム（ｎ＋２）のランク25のタイムスロットから再び始まり、同フレーム（ｎ＋２）におけるランク３１のタイムスロットまで広がる。その後、フレーム（ｎ＋３）及びフレーム（ｎ＋４）におけるランク25のタイムスロットから再び始まり、同フレーム（ｎ＋３）及びフレーム（ｎ＋４）におけるランク31のタイムスロットまで広がる。その後、フレーム（ｎ＋５）におけるランク25のタイムスロットから再び始まり、ポインターの３の値から推定されることが可能なように、同フレーム（ｎ＋５）のランク27（Ｇ２群のランク３）のタイムスロットで終わる。
【００５１】
先の例における場合と同様に、ポインターＰＴＲ１及びＰＴＲ２のゼロ値は、群Ｇ１，Ｇ２を構成する最初のタイムスロットに直に続くタイムスロットにおけるその最初のオクテットで、ＡＡＬ２パケットが確認されたことを示す。30の値は、群Ｇ１，Ｇ２に対応するタイムスロットが、先行するフレームの同じ群を構成するタイムスロットから始められたパケットの残りオクテットを含むことを意味する。31の値は、対応する群Ｇ１，Ｇ２に所属するタイムスロットが空であることを意味する。その後で現れる最初のＡＡＬ２パケットは、ポインターＰＴＲ１，ＰＴＲ２を含むオクテットに続くオクテットに配置されるため、ポインターＰＴＲ１，ＰＴＲ２はゼロ値をとる。さらに、ある群においてＡＡＬ２パケットに関する完全なヘッダー部がないが、空オクテットがある時、ポインターＰＴＲ１，ＰＴＲ２は最初の空オクテットを示す。
【００５２】
タイムスロットの配置と、これらのタイムスロットの群及び副群への分割（パーテーション）は、例えば半永久的な方法を用いてネットワーク管理者によって行われる。これは、永久的でないネットワーク次元形式の操作であるが、プロファイル若しくはトラフィックの性質のような種々のパラメータを基礎に変更が可能である。以下の表１はタイムスロットＴＩを配置したテーブルの例を示し、同配置テーブルにおいて、フレームＥ１は、独立したタイムスロットの２つの群Ｇ１及びＧ２に分割される。
【００５３】
Ｘはフレームシステム用に確保されたタイムスロットを示す。１が入っているタイムスロットは、対応する群への配置を示している。０が入っているタイムスロットに関して、これらは、タイムスロットが対応する群に配置されていないことを示す。
【００５４】
群Ｇ１は３，４，５，６，７，８，９番のタイムスロットＴＩを含み、そして群Ｇ２は14〜31（16を除く）番のタイムスロットＴＩを含むことに注意されることができ、１，２，10，11，12，13番のタイムスロットＴＩに関する限り、それらはＡＴＭトラフィック伝送に割り付けられないようにさせる。
【００５５】
【表１】
2005520465.tif 000003
タイムスロットＴＩの割付と、タイムスロットの群及び副群への分割は、既定の時間回線によるリンク伝送の２つの方向すなわち上りと下りに等しいことに注意されるべきである。
【００５６】
一般的にいうと、利用可能な30のタイムスロットＴＩを有するフレームの場合、ポインターＰＴＲの値は31を上回ることはないので、符号化するのに５ビットで十分である。ポインターＰＴＲが１オクテットに入る場合ならば、残り３ビットはここでＡｄＶＣアドレスと呼ばれる仮想回線アドレスを符号化するために使用される可能性がある。
【００５７】
図７は、ポインターＰＴＲ（５ビット）及び仮想回線アドレスＡｄＶＣ（３ビット）から構成される照合オクテットのフォーマットを示す。該仮想アドレスＡｄＶＣの意味は、問題となる伝送に関する仮想回線によって、その値が原則的に決まるように見出してもよい。
【００５８】
ＡｄＶＣの０値は、フレームが空（データを全く含まない）又は前述した所定のポインターＰＴＲが空タイムスロットを示しているのを表わすために使用される。７つのＡｄＶＣの残り全ての値（２3−１）は、空タイムスロットに各々割り当てられる。このアドレスは、例えば、ＡＡＬ２パケットを使用する音声伝送用煮用に意図された仮想回線の形式や、ＡＡＬ２パケットを使用するデータ伝送用に意図された仮想回線の形式や、ＡＴＭセル用の仮想回線の形式等の、可能な伝送形式毎に２つの仮想回線を区別するのに使用されてもよい。また、ＡＴＭセルに含まれるＡＡＬ５パケットを使用して、制御報告情報の伝送のために使用される報告仮想回線を扱ってもよい。
【００５９】
ＡｄＶＣアドレスは、ポインターＰＴＲにより照合されるＡＡＬ２パケットに関連づけられる。その結果、同じフレームにおいてヘッダーを持つ全ＡＡＬ２パケットは、同じＡｄＶＣアドレスを持つ。したがって、ＡＡＬ２パケットは同じ仮想回線ＶＣに伝送される。
【００６０】
図８は、仮想回線ｎからｎ＋14までにおいて、図４において適用したものと同じ表示法則を使用して、ＡＡＬ２パケット及びＡＴＭセルの多重化例を示している。ここでは伝送に利用される唯一のタイムスロット群があり、この群はフレーム内で利用できる全てのタイムスロットから構成され、副群に再分割していない。図４になぞらえるように、ポインターＰＴＲの値に隣接して仮想回線アドレスＡｄＶＣの値が与えられている。仮想回線アドレスＡｄＶＣの値は、例えば以下の表２のテーブルに当てはめられる方法において仮想回線に割り当てられる。
【００６１】
【表２】
2005520465.tif 000004
図８における該定義とＡｄＶＣアドレスの値に基づいて、パケット（ａ），（ｃ）及び（ｄ）は、１に等しいＡｄＶＣアドレスを持つ同じ仮想回線に伝送されることに注意されたい。パケット（ｂ）は、２に等しいＡｄＶＣアドレスを持つ仮想回線に唯一伝送される。ＡＡＬ２パケット（ｅ）及び（ｆ）は、３に等しいＡｄＶＣアドレスを持つ同じ仮想回線に伝送される。パケット（ｇ）に関しては、４に等しい仮想回線アドレスＡｄＶＣに伝送される。
【００６２】
また、ＡｄＶＣアドレスの０値は空タイムスロットに適用することに注意されたい。
【００６３】
オクテットに１から53まで番号がふられた２つのＡＴＭセルの描写もある。最初のオクテット１から５は、ヘッダー部を表現するために塗りつぶされている。２つのＡＴＭセルの１つは、６に等しいＡｄＶＣアドレスチャネルに所属し、もう一つは７に等しいＡｄＶＣアドレスチャネルに所属する。
【００６４】
ＡＡＬ２パケット及びＡＴＭセルは、それらのヘッダー部の最初のオクテットが同じフレームに含まれない限りは、同じフレームにおいて多重化される可能性があることに注意されたい。
【００６５】
伝送目的でのＡＴＭセルからＡＡＬ２パケットを最初に引き出すことによるか、さもなければ処理後にＡＡＬ２パケットを伝送するために、ＡＡＬ２パケットをＡＴＭセルに挿入することにより、ＡＡＬ２パケット及びＡＴＭセルが、ＡＴＭ仮想パス識別子ＶＰＩ及び仮想回線識別子ＶＣＩからなる仮想回線伝送に対応して、仮想回線アドレスＡｄＶＣで指定された仮想回線ＶＣという時間回線に伝送されるＡＡＬ２パケットの処理端末装置において、対応テーブルは、一方では、ＡＴＭセルによって使用される仮想回線識別子と、他方では、時間回線フレームにおける伝送に使用される仮想回線アドレスＡｄＶＣとの間のコネクションを保証するのに作成される。例えば、これらのテーブルは、前記ＡＡＬ２パケット処理端末装置に設置される。該テーブルは、上記図８で与えられた例と結合することを考慮され、以下に示された表３の様式で表すことができる。
【００６６】
【表３】
2005520465.tif 000005
したがって、ｎからｎ＋14までの15フレームにより伝送された７つのＡＡＬ２パケットは、以下の方法で識別される。
【００６７】
ＡＡＬ２パケット（ａ）：AdVC＝１（VPI 0，VCI 200），CID＝100
ＡＡＬ２パケット（ｂ）：AdVC＝２（VPI 0，VCI 210），CID＝80
ＡＡＬ２パケット（ｃ）：AdVC＝１（VPI 0，VCI 200），CID＝110
ＡＡＬ２パケット（ｄ）：AdVC＝１（VPI 0，VCI 200），CID＝100
ＡＡＬ２パケット（ｅ）：AdVC＝３（VPI 0，VCI 50），CID＝55
ＡＡＬ２パケット（ｆ）：AdVC＝３（VPI 0，VCI 50），CID＝28
ＡＡＬ２パケット（ｇ）：AdVC＝４（VPI 0，VCI 60），CID＝65
図６について述べた原理に基づいて、タイムスロットの２つの群Ｇ１及びＧ２に伝送が行なわれる場合に、上記テーブルは相関テーブルの別の例を示す。
【００６８】
【表４】
2005520465.tif 000006
この表４の例において、タイムスロット群Ｇ１は、１から４までの４つの仮想回線アドレスＡｄＶＣ間のＡＡＬ２パケット伝送と、５から７までの３つの仮想回線アドレスＡｄＶＣ間のＡＡＬ５パケット伝送とに割り付けられる。群Ｇ２に関して、群Ｇ２は１及び２の２つの仮想回線アドレスＡｄＶＣ間のＡＡＬ２パケット伝送と、仮想回線アドレスＡｄＶＣ７のＡＡＬ５パケット伝送とに割り付けられる。ＡＴＭパス識別子及び仮想回線識別子は、これらのアドレス（ＶＰＩ／ＶＣＩ）に対応する。ＡＡＬ２パケット伝送に使用された各仮想回線において、ＣＩＤ識別子により識別された最大248（ＣＩＤ識別子は８ビットを有し、確保された７つを除いて、255の値をとることが可能である。したがって255−７＝248となる。）のコネクションを割付できるということに注意すべきである。
【００６９】
つい先ほど示したのと同様に、各使用タイムスロット群（例えば、群Ｇ１及びＧ２により使用された）は、ＡｄＶＣアドレスにより識別された仮想回線であるＡＡＬ２伝送及びＡＴＭコネクション用の仮想回線のいくつかを含んでもよい。この仮想回線の数は、上記２3−１＝７で与えられた例の場合に、ＡｄＶＣアドレスが想定してもよい値の数に依存する。しかしながら、ＡＴＭ側での仮想回線が、１つの群から次の群まで大きく変化するために必要である。このようなものが図８で与えられた例であり、もし群Ｇ１の仮想回線アドレスＡｄＶＣ＝２が、ＶＰＩ＝０及びＶＣＩ＝100に翻訳されるならば、群Ｇ２の同じ仮想回線アドレスＡｄＶＣ＝２は、ＶＰＩ＝０及びＶＣＩ＝100に翻訳できない。
【００７０】
上記端末装置中で、ある装置は以下のことを指示されるものでもよい。回路／ＡＴＭフレーム用の多重化／逆多重化装置は、逆多重化側の一つで時間回線フレームを使った各伝送リンク用双方向ポートを構成し、多重化側で、これもまた双方向だが、１つのＡＴＭセルの伝送リンク用双方向ポートを構成している。
【００７１】
より詳細にいうと、例として、既存の回線／ＡＴＭフレーム用の多重化／逆多重化装置を挙げる。一方は、時間回線フレーム（Ａ，Ｂ，Ｃ，Ｄ及びＥ）を使った伝送リンク用の５つの双方向ポート、そして他方は、これも双方向だが、ＡＴＭセル（Ｍ）を使った１つの伝送リンク用双方向ポートである。以下の表５に、各Ｅ１多重化用の仮想回線アドレスＡｄＶＣ及び識別子ＶＰＩ／ＶＰＣ向けの相関テーブル例を示す。
【００７２】
【表５】
2005520465.tif 000007
以下の表６に示したものは、上記例で与えられた多重化／逆多重化装置におけるＡＡＬ２コネクションの交換テーブル例である。
【００７３】
【表６】
2005520465.tif 000008
ここでは、集中（コンセントレーション）が失われていることに注目されたい。多重化装置でのＭ多重化において、全Ｅ１コネクションすなわちＡＡＬ２伝送用の７の仮想回線と、５の仮想回線パケットと、ＡＡＬ５形式パケット伝送用の５の仮想回線とにわたって存在する全てのＡＴＭコネクションが見出されるであろう。
【００７４】
上述したものは、上記多重化／逆多重化装置において、それぞれＥ１多重化した結果について、仮想回線アドレスＡｄＶＣと識別子ＶＰＩ／ＶＣＩ間の対応を示した別の例である。
【００７５】
【表７】
2005520465.tif 000009
上記表７のテーブルは、ＡＡＬ２コネクション交換及び相関テーブルの例を示している。注目すべきは、ＣＩＤコネクション識別子が翻訳される必要があるということである。該テーブルは、ＡＡＬ２コネクションの構築段階の間にアップデート（更新）される。集中装置は、ＡＡＬ２パケット用交換機能を実行すると共に、これに基づいてＡＡＬ２報告（レポーティング）プロトコル（ITU勧告Q.2630.2）を管理しなければならない。
【００７６】
【表８】
2005520465.tif 000010
この表８の形態において、例えば、リアルタイム（実時間）制限若しくは欠損フレームに関連した制限に従って、トラフィックフローは、例えばサービス品質の種類により集中される。例えば、ポートＡ，Ｂ及びＣについて、ＡＡＬ２チャネルは、リアルタイム制限を伴ってのフローのために予約され、またＡＡＬ２チャネルは、時間制限なしでのフローのために予約される、と判断される。ポートＥは時間制限なしで単一フローを運ぶ。これらのフローは、２つの仮想回線伝送上で出力Ｍに集められる。例えば、仮想回線（ＶＰＩ＝０，ＶＣＩ＝100）はリアルタイムフローのために予約され、仮想回線（ＶＰＩ＝０，ＶＣＩ＝101）はリアルタイムでないフローのために予約される。この操作は、伝送されるべきＡＴＭセルの最適な詰め物を保証することにより、統計的なゲインを提供する。
【００７７】
別の解決手法は、さらに大きいゲインを提供する可能性がある単一仮想回線内に全フローを集中する構成としててもよい。音声トラフィックとデータトラフィックの伝送に関連する各制限、すなわち厳しいリアルタイム制限と低損失率の両方を満たすことが可能なサービス品質ＳＱを仮想回線ＶＣが提供しなければならないのは、正反対なことである。
【００７８】
上記説明した端末装置の中で、逆多重化側では、時間フレームを用いた伝送コネクション用の各双方向ポートを含んでおり、多重化側では、これも双方向であるが、時間回路フレームを用いた伝送リンク用の一つのポートを含んだ多重化／逆多重化装置についても言及することができる。より詳細にいうと、一例として、多重化側では、ＡＡＬ２トラフィックに関する仮想回線フレームを使用する伝送リンク用の３つのポート（Ａ，Ｂ，Ｃ）を備え、逆多重化側では、仮想回線フレームによる伝送リンク用の一つのポートＥを備えた多重化／逆多重化装置が、ここでは考えられる。逆多重化側にて３つのリンクのために使用されるタイムスロットＴＩの番号が、多重化側にて単一のリンクに利用可能なタイムスロットＴＩの番号以下であるならば、これは唯一可能性のあるものであることは言うまでもない。この装置形式は、ＡＡＬ２パケット形式のデータユニットを内部処理することを除き、仮想回線フレームを使用する伝送用リンクポートを管理する。
【００７９】
以下の表９に示したものが、仮想回線アドレスＡｄＶＣの相関テーブルの一例であることがわかるであろう。
【００８０】
【表９】
2005520465.tif 000011
例えばＥ１形式の仮想回線フレームによって、伝送リンクを使用するＡＴＭセルによる伝送技術との比較に対し、例えばＥ１形式の仮想回線フレームを使用する伝送リンクによって、ＡＡＬ２パケットの伝送に使用される本発明の原理についての優位性を以下に示す。下記の計算は、ノードＢ基地局をＲＮＣモバイルネットワークコントローラーにつなぐハブインターフェイスでのＵＴＲＡＮアクセスネットワーク構成において、意図的に単純な前提に基礎を置いている。これらの前提は以下のようなものである。
【００８１】
１）これらは20ｍｓのタイムスロットを有し、12.2ｋｂ／ｓのフローレートでＡＭＲによる符号化された音声情報から発する31オクテットのデータブロックである。結果としてＡＡＬ２パケットは42オクテット長であり、追加された９オクテットは、ヘッダーを構成する３オクテット及び無線通信プロトコルレイヤーのカプセル化から生じる６オクテットからなっている。より詳細にいうと、これは上り方向に関係する。下り方向においては、最終ＡＡＬ２パケットは、合計40オクテットになるだけであろう。
【００８２】
２）Ｅ１フレームは100％占有され、30のタイムスロットＴＩは単一群（単一マーキングタイムスロット）において使用される。
【００８３】
第一の事例：図４で示されたように、ＡＡＬ２パケットはＥ１フレームに連続的に挿入される。42オクテットからなるＭ個のパケットを伝送するために必要とされるフレーム数Ｒは次式で表される。
【００８４】
Ｒ＝Ｍ×42／（30−１）
注目すべきは、各Ｅ１フレームは29の利用可能オクテット（30オクテット−１マーキングオクテット）を含むことである。
【００８５】
例として、58個のＡＡＬ２パケットを伝送するために、84フレームが必要とされるだろう。出力は（58×42）／（84×30）、すなわち97％となる。仮にＡＡＬ２パケットのヘッダーを構成する３オクテットを考慮すると、出力は90％まで減少する。
【００８６】
第二の事例：ここでは、同じパケットが４オクテットの詰め物と共にＡＴＭセルに挿入される。したがって、ＡＴＭセル一つにつき42オクテットのただ一つのミニセルがある。Ｃ個のＡＴＭセル（すなわち42オクテットのミニセルＭ）を伝送するために必要とされるフレーム数Ｒは、次式で表される。
【００８７】
Ｒ＝Ｃ×53／30（各Ｅ１は30の利用可能オクテットを含む。）
58のミニセルを伝送するためには、102の完全なフレームと、最終フレームで14のタイムスロットが必要となる。出力は（58×42）／（102×30）、すなわち80％となる。仮に３オクテットのＡＡＬ２パケットヘッダーを考慮すると、出力は74％まで減少する。
【００８８】
第三の事例：ここでは、同じＡＡＬ２パケットがＡＴＭセルに挿入されるが、詰め物オクテットを持たないことを除いては、フレーム間でのオーバーラップ（重複）を伴なう。Ｃ個のセルを伝送するために必要とされるフレーム数Ｒは、Ｒ＝Ｃ×53／30という式で表される。Ｍ個の42オクテットからなるミニセルを伝送するために、Ｃ個の47オクテットからなるセル、すなわちＣ＝Ｍ×42／47個のセルが必要とされる。Ｍ個の42オクテットからなるＡＡＬ２パケットを伝送するために必要とされるフレーム数は、したがってＴ＝Ｍ×（42×53）／（30×47）となる。ゆえに、Ｍ＝58とすると、上記第二の事例からの102フレームと比較して、フレーム数Ｒは91となり、出力は（58×42）／（91×30）すなわち89％に等しくなる。ヘッダーのオクテットを考慮に入れると、83％まで減少する。
【００８９】
Ｅ１上でのＡＴＭ伝送に関して、事例２及び３は端末構成を意味する。現実は、これら２つの事例間のどこかに位置づけられる。タイムスロットＴＩを伴わないＡＡＬ２パケット伝送を意味する事例は、好都合な事例であるが、それでも、高トラフィック状態において、Ｅ１上でのＡＴＭによるＡＡＬパケット伝送よりさらに能率的な状態を維持する。
【００９０】
先の例においては、12.2ｋｂ／ｓ出力が選ばれた。注目すべきは、このＡＭＲコーディング（符号化）は低出力を提供するということである。対応するパケット長は、より短くなる。詰め物オクテットの周波数は、出力損失に関してさらに重要なものとなるであろう。例示として、以下の表１０に示すテーブルは、ＡＭＲコーディングについての様々な出力値に対するＡＡＬ２パケット長を示したものである。ここにあるサイレンス（沈黙）は、13オクテット（５＋ヘッダー）からなるＡＡＬ２パケット伝送を対象とするものである。注目すべきは、上りと下り間の２オクテットの違いである。
【００９１】
【表１０】
2005520465.tif 000012
【図面の簡単な説明】
【００９２】
【図１】ＡＡＬ２パケットのフォーマットを示している図である。
【図２】従来例におけるフレームの全タイムスロットを使用する時間回線を使用して、Ｅ１形式フレームの構成上のＡＴＭセルの多重化を描いている図である。
【図３】従来例におけるフレームの全タイムスロットを部分的にのみ使用する時間回線を使用して、Ｅ１形式フレームの構成上のＡＴＭセルの多重化を描いている図である。
【図４】従来例におけるフレームの全タイムスロットを使用すると共に、本発明に従う時間回線を使用して、Ｅ１形式フレーム上のＡＡＬ２パケットの多重化を描いている図である。
【図５】従来例におけるフレームのタイムスロットを部分的にのみ使用する使用タイムスロットの一群とした、本発明に従う時間回線を使用して、Ｅ１形式フレーム上のＡＡＬ２パケットの多重化を描いている図である。
【図６】タイムスロットの２つの群を使用すると共に、本発明に従う時間回線を使用して、Ｅ１形式フレーム上のＡＡＬ２パケットの多重化を描いている図である。
【図７】本発明におけるＡＡＬ２パケットの挿入のために使用されるオクテットを照合するフォーマットを描いた図である。
【図８】仮想回線アドレスを使用すると共に、本発明に従う時間回線を使用して、Ｅ１形式フレーム上のＡＡＬ２パケット及びＡＴＭセルの多重化を描いた図である。
【図１】
2005520465.tif 000013
【図２】
2005520465.tif 000014
【図３】
2005520465.tif 000015
【図４】
2005520465.tif 000016
【図５】
2005520465.tif 000017
【図６】
2005520465.tif 000018
【図７】
2005520465.tif 000019
【図８】
2005520465.tif 000020
【国際調査報告】
2005520465.tif 000021
2005520465.tif 000022